(57)【特許請求の範囲】
【請求項１】
（１）カレンダー用の固定情報を印刷して連続帳票とする工程、（２）該連続帳票へ可変情報を印刷する工程、（３）別途、郵送情報を記載したカレンダー支持体を準備する工程、（４）配送伝票製造用のフォームコレーターを用いて、所定数の前記連続帳票を繰り出し丁合して、糊付けし打ち抜いて１組のカレンダーとし、該１組のカレンダーを郵送情報が記載されたカレンダー支持体へ貼着し、カレンダー支持体の開封予定部へミシン目を付し、展開状態で１つの郵送媒体となるように切断する工程、（５）該展開状態のカレンダー支持体のミシン目の外側へ接着剤を塗布し、前記１組のカレンダー部分とカレンダー支持体部分とが相対するように折り圧着して郵送媒体とする工程、とからなることを特徴とするカレンダーの製造方法。
【請求項２】
請求項１に記載のカレンダーの製造方法で製造されたカレンダーで、予め可変情報が印字または印刷されていることを特徴とするカレンダー。
【発明の詳細な説明】
【０００１】
【発明の属する技術分野】
本発明は、従来のカレンダーの不便さを改良したものであり、予め必要な個人情報、記念日、学校行事・予定、地域情報などが印字または印刷されていて、簡単に郵送もできるカレンダーである。
【０００２】
【従来の技術】
従来のカレンダーには、月や日付や曜日の他に、祝日や休日の表示は、印刷されていたが、誕生日、免許更新日等の個人的な事項の書き込みは、利用者である各個人に任されていた。従って、全く書き込まない人もいれば、書き込むつもりで、つい面倒で書き込まなかったり、自分の誕生日は書き込んでも、免許更新日や銀行の定期預金や保険の満期日についてまで書き込もうとする人は、ほとんどいなかった。
【０００３】
また、家族の誕生日や結婚記念日なども書き込む人は少なく、日常の生活に追われ、忙しい毎日を送るうちについ忘れてしまいがちである。
また、従来カレンダーを郵送するには、カレンダーを封筒や筒状のボール紙に入れて、宛て名と差出人を書いたり、これらが印字されたラベルを貼って郵送していた。
【０００４】
【発明が解決しようとする課題】
このような従来のカレンダーにあっては、自分で筆記用具で書き込まないと、免許証の更新に気づかず、失効したり、銀行の定期預金の満期や保険の満期に、銀行や保険会社から通知が来るまで気づかないで、そのままにしておく人が多く、思わぬ損害をこうむるという問題点があった。
【０００５】
また、家族の誕生日や結婚記念日、学校の行事・予定などをたびたび忘れてしまって、気まずい思いをするケースもあるという問題点があった。
また、カレンダーを郵送するには、カレンダーを封筒や筒状のボール紙に入れる必要があり省資源、省力化の時代に逆行する問題点があった。
【０００６】
【課題を解決するための手段】
上記の問題点を解決するために、本発明においては、例えば丁合機等を使用して製造するカレンダーにおいて、本人や家族の誕生日、免許更新日、保険の満期日、銀行や郵便局の定期預金の満期日または結婚記念日といった個人情報や学校行事・予定、地域情報等の可変情報が予め印字または印刷されていることを特徴とするカレンダーを開発した。
本発明において、丁合機とは、配送伝票用のもので、当業界においてフォームコレーターと呼ばれている丁合機のことである。
【０００７】
【発明の実施の形態】
以下、本発明の実施の形態を図面により詳細に説明する。
図１は、本発明によるカレンダーの１月を開いた状態を示す平面図である。
図２は、本発明によるカレンダーの印刷、可変情報のプリントの製造過程を示す平面図である。
図３は、本発明によるカレンダーの丁合、スリット、シート出しの製造過程を示す平面図である。
図４は、本発明によるカレンダーの糊付け、折り工程、郵送状態、使用状態をそれぞれ示す平面図と斜視図である。
【０００８】
本発明のカレンダーは通常、外側の支持体１と内側の用紙２とから構成される。そして、この外側の支持体１としては、マニラボール、白ボールなどの厚手の紙であると卓上カレンダーとしても使用できるが、公知の係合手段を施せば、上質紙もしくはアート紙、上質コート紙等の塗工印刷用紙でもよい。
【０００９】
次に、上記内側の用紙２であるカレンダー用紙としては、上質紙の他、アート紙、上質コート紙等の塗工印刷用紙、マニラボール、白ボール等の白板紙が適している。
【００１０】
カレンダー用紙に印刷するオフセットインキは、例えば粘度３００〜８００ポイズでインキ膜厚み１〜４μｍで、単色でもいいが、通常は多色で印刷される。
【００１１】
そして、オフセット印刷インキとしては、ロジン変性フェノール、アルキッド、塩化ビニル、塩化ビニル−酢酸ビニル共重合体、アクリル、酢酸ビニル、ニトロセルロースまたは酢酸セルロース等の樹脂と、植物油と、アルコール系、芳香族系、エステル系、ケトン系または石油系溶剤と、ゲル化剤より成るビヒクルに、耐水性の強い顔料をロールミル、ビーズミル、フラッシング方式などで分散したものを使用する。
【００１２】
本発明のカレンダーの製造方法を説明する。製造工程としては、オフセットまたは活版の単色または多色印刷で、図２（ａ）のようにロール状の紙に通常のカレンダー用の、年度、月、日付、曜日、祝日などの固定情報を印刷をしてから、両サイドにマージナルパンチ１２加工を行う。次に、カレンダーの糊付け部分にミシン目加工を行うことにより、連続帳票１１が得られる。
【００１３】
次にコンピュータおよびプリンター装置で、前記連続帳票１１に対して、図２（ｂ）のように可変情報４（図１も参照）として例えば、個人情報である誕生日、免許更新日、保険の満期日、結婚記念日等を該当するカレンダーの日付の余白部に単色（通常黒が多い）または多色で印字または印刷する。
なお、上記プリンター装置としては、例えば乾式プリンターやインクジェットプリンタが挙げられる。
【００１４】
この後、丁合機を使うのであるが本発明で用いる丁合機とは、従来使用されている配送伝票製造用のもの（フォームコレーター）が十分使用可能である。つまり、本発明においては、従来の配送伝票の小伝票に相当するのが、カレンダー本体であり、配送伝票の台紙（タック紙）に相当するのが、カレンダーの表紙となる支持体なのである。
【００１５】
具体的には、この後、配送伝票用の丁合機で、１〜１２月までのカレンダー（連続帳票１１）を各月の個人情報が同一人となるように、繰り出して糊付け、打ち抜いて１年分のカレンダーとした。この後、同じ丁合機上で、このカレンダーの支持体１（表紙、カバー）として、保険契約者の宛て名と差出人である生命保険会社が印刷されたマニラボール等を用い、この支持体１にアクリル接着剤等で前記１年分のカレンダーを図３（ａ）のように貼り、周囲にミシン目加工をしてから次に図３の（ａ）のスリッター線２１でスリットして、図３の（ｂ）のようなシートを得た。次に接着剤６としてアクリル接着剤等をこのシートのミシン目の周囲に、図４（ａ）のように塗布してから、図４（ｂ）のように折り、閉じて圧着して、図４（ｃ）のような郵送形態にした。
【００１６】
これを生命保険会社や銀行等から、各保険契約者や預金者等に郵送する。届いた郵便物を各保険契約者等がミシン目に沿って三方切り取って開封したところ、カレンダーであることを知り、これを使うために、折り曲げ線部３で反対側に折り、図４の（ｄ）のような形にする。
このように、支持体は封筒その他の郵送媒体として利用できる。
【００１７】
接着剤６（糊）の原料としては、酢酸ビニル、天然ゴム、ポリイソブチレン、ポリビニルエーテル、さまざまな合成ゴム（スチレン−ブタジエン、あるいは−エチレン共重合体、ポリウレタン、アクリル）である。
このような接着剤は、簡単に支持体同士を圧着できるが、剥がすのは容易ではなく、一旦剥がすとべとつく性質がある。そこで、本発明においては、図４に示すように、ミシン目２０の外側に、接着剤６を塗布しておき、開封するときには、接着剤を剥がさずに、ミシン目から切り取る方式にした。
【００１８】
【実施例】
以下、本発明の実施例も図面により詳細に説明する。
【００１９】
実施例１
オフセットのカラー印刷で、図２（ａ）のようにロール状の上質紙に通常のカレンダー用の、年度、月、日付、曜日、祝日などの印刷をしてから、両サイドにマージナルパンチ１２加工を行う。次に、カレンダーの糊付け部分にミシン目加工を行う。
【００２０】
次に、コンピュータおよびプリンターを使用して、図２（ｂ）のように可変情報４（図１も参照）として個人情報である誕生日、免許更新日、保険の満期日、結婚記念日を該当するカレンダーの日付の余白部に黒で印字した。
【００２１】
この後、配送伝票用の丁合機（フォームコレーター）で、１〜１２月までのカレンダー（連続帳票１１）を各月の個人情報が同一人となるように、繰り出して糊付け、打ち抜いて１年分のカレンダーとした。この後、同じ丁合機上で、このカレンダーの支持体１（表紙、カバー）として、保険契約者の宛て名と差出人である生命保険会社が印刷されたマニラボールを用い、この支持体１に酢酸ビニル系接着剤で前記１年分のカレンダーを図３（ａ）のように貼り、周囲にミシン目加工をしてから次に図３の（ａ）のスリッター線２１でスリットして、図３の（ｂ）のようなシートを得た。
【００２２】
次に接着剤６として酢酸ビニル系接着剤をこのシートのミシン目の周囲に、図４（ａ）のように塗布してから、図４（ｂ）のように折り、閉じて圧着して、図４（ｃ）のような郵送形態にした。
【００２３】
これを生命保険会社から、各保険契約者に郵送した。届いた郵便物を各保険契約者がミシン目に沿って三方切り取って開封したところ、カレンダーであることを知り、これを使うために、折り曲げ線部３で反対側に折り、図４の（ｄ）のような形にした。このカレンダーは、１年間気がきいた重宝な卓上カレンダー５として愛用され、高い評価を得た。
【００２４】
実施例２
オフセットのカラー印刷で、図２（ａ）のようにロール状の上質コート紙に通常のカレンダー用の、年度、月、日付、曜日、祝日などの印刷をしてから、両サイドにマージナルパンチ１２加工を行う。次に、カレンダーの糊付け部分にミシン目加工を行う。
【００２５】
次に、コンピュータおよびプリンターを使用して、図２（ｂ）のように可変情報４（図１）として個人情報である誕生日、免許更新日、銀行の定期預金の満期日、結婚記念日を該当するカレンダーの日付の余白部に黒で印字した。
【００２６】
この後、配送伝票用の丁合機（フォームコレーター）で、１〜１２月までのカレンダー（連続帳票１１）を各月の個人情報が同一人となるように、繰り出して糊付け、打ち抜いて１年分のカレンダーとした。この後、同じ丁合機上で、このカレンダーの支持体１（表紙、カバー）として、預金者の宛て名と差出人である銀行名が印刷された白ボールを用い、この支持体１にアクリル接着剤で前記１年分のカレンダーを図３（ａ）のように貼り、周囲にミシン目加工をしてから次に図３の（ａ）のスリッター線２１でスリットして、図３の（ｂ）のようなシートを得た。次に接着剤６としてアクリル接着剤をこのシートのミシン目の周囲に、図４（ａ）のように塗布してから、図４（ｂ）のように折り、閉じて圧着して、図４（ｃ）のような郵送形態にした。
【００２７】
これを銀行から、各預金者に郵送した。届いた郵便物を各預金者がミシン目に沿って三方切り取って開封したところ、カレンダーであることを知り、これを使うために、折り曲げ線部３で反対側に折り、図４の（ｄ）のような形にした。このカレンダーは、１年間気がきいた重宝な卓上カレンダー５として愛用され、高い評価を得た。
【００２８】
【発明の効果】
本発明のカレンダーは、ダイレクトメールとしての付加価値を高める効果があり、これを使っている人は、従来のカレンダーのように、自分で書き込まなくても、予め印字されている可変情報（本人または家族の誕生日、免許更新日、保険の満期日、銀行や郵便局の定期預金の満期日、結婚記念日、学校行事・予定、地域情報等）の存在により、例えば免許の更新に気づかず、失効したり、銀行の定期預金の満期や保険の満期に、銀行や保険会社から通知が来るまで気づかないで、そのままにしておくことはなくなった。
【００２９】
また、家族の誕生日や結婚記念日、学校行事などを忘れてしまって、気まずい思いをするケースもなくなり、円満な家庭が保てた。
また、カレンダーを郵送するには、カレンダーの支持体を折り曲げ線部から折りながら圧着するだけで済んでしまうので、封筒や筒状のボール紙に入れる必要が無くなり、時代の流れに合った省資源、省力化に貢献できる。
【００３０】
さらに、丁合機により、インラインで製造されるので、封筒表面に記載された情報と中身のカレンダーとの照合に手間がかかることもなくなった。
【図面の簡単な説明】
【図１】本発明によるカレンダーの１月を開いた状態を示す平面図である。
【図２】図２は、本発明によるカレンダーの印刷、可変情報のプリントの製造過程を示す平面図である。
【図３】図３は、本発明によるカレンダーの丁合、スリット、シート出しの製造過程を示す平面図である。
【図４】図４は、本発明によるカレンダーの糊付け、折り工程、郵送状態、使用状態をそれぞれ示す平面図と斜視図である。
【符号の説明】
１  支持体
２  用紙
３  折り曲げ線部
４  可変情報
５  カレンダー
６  接着剤（糊）
７  カレンダー本体
８  郵送形態
１１  連続帳票
１２  マージナルパンチ
１３  Ａさんのカレンダー
１４  Ｂさんのカレンダー
２０  ミシン目
２１  スリッター線
３０  住所と宛て名
【図１】
0003789544.tif 000002
【図２】
0003789544.tif 000003
【図３】
0003789544.tif 000004
【図４】
0003789544.tif 000005